(57)【要約】      （修正有）【課題】貯蔵室の温度分布を均一にできる冷蔵庫を提供する。【解決手段】貯蔵物を収納する貯蔵室２と、貯蔵室２に流入する冷気を生成する冷却器１１と、貯蔵室２の背面に配されて冷却器１１からの冷気が流通する冷気通路３２と、冷気通路３２を流通する冷気を貯蔵室２の背面に沿って流下させるように吐出する吐出口１０６ａと、吐出口１０６ａの下方に配されて貯蔵物を載置する仕切棚４１とを備えた。【選択図】図３
2009068800.tif 000002
【特許請求の範囲】
【請求項１】
貯蔵物を収納する貯蔵室と、前記貯蔵室に流入する冷気を生成する冷却器と、前記貯蔵室の後方に配されて前記冷却器からの冷気が流通する冷気通路と、前記冷気通路を流通する冷気を前記貯蔵室の背面に沿って流下させるように吐出する吐出口と、前記吐出口の下方に配されて貯蔵物を載置する仕切棚とを備えたことを特徴とする冷蔵庫。
【請求項２】
前記仕切棚は、左右に延びて後部に設けられるとともに冷気を溜める凹部と、貯蔵物が載置されて貯蔵物の下方に隙間を形成する複数の突起部とを有することを特徴とする請求項１に記載の冷蔵庫。
【請求項３】
前記突起部間に貫通孔を設けたことを特徴とする請求項２に記載の冷蔵庫。
【請求項４】
冷熱を放出する部材を前記貯蔵室の背面に設けたことを特徴とする請求項１〜請求項３のいずれかに記載の冷蔵庫。
【請求項５】
前記吐出口を前記部材に開口したことを特徴とする請求項４に記載の冷蔵庫。
【請求項６】
前記部材は前記部材表面に連続する下端から後方に屈曲して上方に延びる凹部を有し、前記凹部上端の開口により前記吐出口を形成したことを特徴とする請求項５に記載の冷蔵庫。
【請求項７】
前記部材は前記部材表面に連続する上端から前方に屈曲して下方に延びる凸部を有し、前記凸部下端の開口により前記吐出口を形成したことを特徴とする請求項５に記載の冷蔵庫。
【発明の詳細な説明】
【技術分野】
【０００１】
本発明は、貯蔵物を載置する仕切棚を備えた冷蔵庫に関する。
【背景技術】
【０００２】
従来の冷蔵庫は特許文献１に開示されている。この冷蔵庫は冷蔵室の背面に冷気通路が上下に延びて設けられる。冷気通路には冷蔵室に臨む吐出口が設けられる。冷気通路を流通する冷気は吐出口から前方に向かって冷蔵室内に吐出され、冷蔵室内を仕切って貯蔵物を載置する仕切棚の間を前方に流通する。該冷気は冷蔵室の前部を降下し、冷蔵室内を冷却する。
【０００３】
また、特許文献２には冷蔵室の背面に高熱伝導性を有する部材を設けた冷蔵庫が開示されている。
【０００４】
【特許文献１】特開平１１−１４８７６６号公報（第３頁−第６頁、第１図）
【特許文献２】特開２００１−６６０５１号公報（第２頁−第６頁、第２図）
【発明の開示】
【発明が解決しようとする課題】
【０００５】
しかしながら、特許文献１に開示された冷蔵庫によると、吐出口から正面に向かって冷気が吐出されて冷蔵室の前部で流下するため、仕切棚間の空間の温度分布が不均一になる問題があった。また、特許文献２に開示された冷蔵庫においても上記と同様に、冷気流が前方に流通して温度分布の均一化が阻害される場合があった。
【０００６】
本発明は、貯蔵室の温度分布をより均一にできる冷蔵庫を提供することを目的とする。
【課題を解決するための手段】
【０００７】
上記目的を達成するために本発明は、貯蔵物を収納する貯蔵室と、前記貯蔵室に流入する冷気を生成する冷却器と、前記貯蔵室の後方に配されて前記冷却器からの冷気が流通する冷気通路と、前記冷気通路を流通する冷気を前記貯蔵室の背面に沿って流下させるように吐出する吐出口と、前記吐出口の下方に配されて貯蔵物を載置する仕切棚とを備えたことを特徴としている。
【０００８】
この構成によると、冷却器で生成された冷気は冷気通路を流通して吐出口から下方に吐出される。吐出口から吐出された冷気は貯蔵室の背面を流下し、該冷気によって仕切棚間の空間の上部の冷気が吐出口を設けた後方へ引き寄せられて貯蔵室の背面を流下する。貯蔵室の背面を流下した冷気は仕切棚上を前方に流通する。これにより、上下の仕切棚で囲まれた空間を冷気が対流する。貯蔵室の天面や底面と仕切棚とで囲まれた空間においても同様に冷気が対流する。
【０００９】
また本発明は上記構成の冷蔵庫において、前記仕切棚は、左右に延びて後部に設けられるとともに冷気を溜める凹部と、貯蔵物が載置されて貯蔵物の下方に隙間を形成する複数の突起部とを有することを特徴としている。この構成によると、貯蔵室の背面を流下する冷気は凹部で左右方向に広がり、突起部により貯蔵物の下方に形成される隙間を前方に流通する。
【００１０】
また本発明は上記構成の冷蔵庫において、前記突起部間に貫通孔を設けたことを特徴としている。この構成によると、仕切棚上を前方に流通する冷気の一部は貫通孔から仕切棚の下方に導かれる。
【００１１】
また本発明は上記構成の冷蔵庫において、冷熱を放出する部材を前記貯蔵室の背面に設けたことを特徴としている。この構成によると、冷気通路を流通する冷気の冷熱が部材を介して貯蔵室内に放出される。
【００１２】
また本発明は上記構成の冷蔵庫において、前記吐出口を前記部材に開口したことを特徴としている。この構成によると、吐出口から吐出された冷気の冷熱が部材に伝えられ、部材から貯蔵室内に冷熱が放出される。
【００１３】
また本発明は上記構成の冷蔵庫において、前記部材は前記部材表面に連続する下端から後方に屈曲して上方に延びる凹部を有し、前記凹部上端の開口により前記吐出口を形成したことを特徴としている。この構成によると、吐出口は切り起こしやルーバー加工によって後方に突出した屈曲部により形成される。
【００１４】
また本発明は上記構成の冷蔵庫において、前記部材は前記部材表面に連続する上端から前方に屈曲して下方に延びる凸部を有し、前記凸部下端の開口により前記吐出口を形成したことを特徴としている。この構成によると、吐出口は切り起こしやルーバー加工によって前方に突出した屈曲部により形成される。
【発明の効果】
【００１５】
本発明によると、吐出口が貯蔵室の背面に沿って流下させるように冷気を吐出し、吐出口の下方に仕切棚を配置したので、仕切棚間の空間で対流を発生させて該空間の温度を均一にすることができる。従って、貯蔵室内の温度分布を均一にすることができる。
【００１６】
また本発明によると、仕切棚の後部に左右に延びた凹部を設けたので吐出口から流下する冷気を凹部で溜めて左右に広がって流通させることができる。また、貯蔵物の下方に隙間を形成する複数の突起部を設けたので、仕切棚に貯蔵物を載置しても貯蔵物の下方を通って前方に冷気を容易に流通させることができる。従って、冷蔵室の温度分布をより均一にすることができる。
【００１７】
また本発明によると、突起部間に貫通孔を設けたので、仕切棚の下方の空間に冷気を導いて冷気量が増加し、下方の貯蔵物をより冷却することができる。
【００１８】
また本発明によると、冷熱を放出する部材を貯蔵室の背面に設けたので、貯蔵室内の温度分布をより均一にすることができる。
【００１９】
また本発明によると、吐出口を部材に開口したので、部材に沿って冷気が流下し、部材に冷気の冷熱を容易に伝えて広い範囲から貯蔵室に冷熱を放出することができる。
【００２０】
また本発明によると、吐出口が下端を部材に連続して上部を後方に屈曲した凹部により形成されるので、切り起こしやルーバー加工によって吐出口を容易に形成することができる。また、冷気通路内への結露水の流入を防止することができ、貯蔵室内の保湿効果を保持することができる。
【００２１】
また本発明によると、吐出口が上端を部材に連続して下部を前方に屈曲した凸部により形成されるので、切り起こしやルーバー加工によって吐出口を容易に形成することができる。また、冷気通路内への結露水の流入を防止することができ、貯蔵室内の保湿効果を保持することができる。
【発明を実施するための最良の形態】
【００２２】
以下に本発明の実施形態を図面を参照して説明する。図１、図２は第１実施形態の冷蔵庫を示す正面図及び右側面図である。冷蔵庫１は上部に扉２ａで開閉される冷蔵室２（貯蔵室）が配される。冷蔵室２の下方には扉３ａ、４ａで開閉される温度切替室３及び製氷室４が左右に並設される。温度切替室３及び製氷室４の下方には扉６ａで開閉される冷凍室６が配され、冷凍室６の下方に扉５ａで開閉される野菜室５が配されている。
【００２３】
冷蔵室２は貯蔵物を冷蔵保存し、野菜室５は冷蔵室２よりも高い室内温度（約８℃）で野菜を冷却保存する。温度切替室３は詳細を後述するように、使用者により室温を切り替えられるようになっている。冷凍室６は貯蔵物を冷凍保存し、製氷室４は冷凍室６に連通して氷を製氷する。尚、製氷室４及び冷凍室６は氷点以下に維持され、本明細書において製氷室４は冷凍室６の一部を構成する。
【００２４】
図３、図４は冷蔵庫１の右側面断面図及び正面図である。冷蔵庫１の本体部は外箱１ａと内箱１ｂとの間に発泡断熱材１ｃが充填されている。製氷室４及び温度切替室３と冷蔵室２との間は断熱壁７により隔離され、冷凍室６と野菜室５との間は断熱壁８により隔離される。また、温度切替室３と冷凍室６との間は断熱壁３５により隔離され、温度切替室３と製氷室４との間は縦断熱壁３６により隔離されている。
【００２５】
発泡断熱材１ｃはウレタン発泡断熱材等から成り、外箱１ａと内箱１ｂとの間に充填される際に断熱壁７、８内に同時に充填される。即ち、発泡断熱材１ｃの原液が外箱１ａと内箱１ｂとの間とこれに連通する断熱壁７、８に同時に注入され、一体に発泡される。これにより、断熱壁７、８を簡単に薄く形成することができる。従って、冷蔵室２の容積を広く確保することができる。
【００２６】
また、断熱壁７、８の外装は内箱１ｂと別部材から成り、発泡断熱材１ｃの充填前は断熱壁７、８の側面が開口して内箱１ｂが断熱壁７、８の側面に対向して開口する。発泡断熱材１ｃの充填により断熱壁７、８の側面の開口と内箱１ｂの開口とが連結して一体となる。
【００２７】
これにより、断熱壁７、８によって隔離された温度帯の異なる各貯蔵室間での冷気や暖気の漏れが防止される。従って、熱ロスの低減による省エネルギー化を図ることができる。また、断熱壁７、８の振動や、該振動による断熱壁７、８と内箱１ｂとの摺動によって発生する異常音を防止することができる。加えて、一体形成による構造的な強度を向上することができる。
【００２８】
製氷室４、冷凍室６、野菜室５及び温度切替室３には貯蔵物を収納する収納ケース４３が設けられる。冷蔵室２には貯蔵物を載置する複数の仕切棚４１が設けられる。冷蔵室２の扉２ａには複数の収納ポケット４２が設けられる。これらにより、冷蔵庫１の使い勝手が向上されている。
【００２９】
また、冷蔵室２内の下部には上面が仕切板４４により仕切られて隔離された隔離室から成るチルド室２１が設けられる。チルド室２１は冷蔵室２と異なる温度帯の例えばチルド温度帯（約０℃）に維持される。チルド室２１には貯蔵物を収納する収納ケース１０７が配される。チルド室２１に替えて氷温（約−３℃）に維持される氷温室にしてもよい。
【００３０】
野菜室５の背後には機械室５０が設けられ、機械室５０内に圧縮機５７が配される。圧縮機５７には凝縮器、膨張器（いずれも不図示）及び冷却器１１が接続され、圧縮機５７の駆動によりイソブタン等の冷媒が循環して冷凍サイクルが運転される。これにより、冷却器１１が冷凍サイクルの低温側となる。
【００３１】
機械室５０の後部には電装部５１が設けられる。電装部５１は冷蔵庫１の本体部に取付けられる背面側が開口した電装ボックス５２を有し、機械室５０の背面を塞ぐ背面カバー５０ａにより密閉される。電装ボックス５２は金属板のルーバー加工により形成され、放熱面積が大きく電装部品の発熱を容易に放熱できるとともに電装部５１内を容易に密閉することができる。
【００３２】
電装部５１には圧縮機５７や各送風機等を制御する制御回路を有した制御基板５３を含む電装部品が内装される。電装部５１を機械室５０内に設置したので、冷蔵室２の背後に設置した場合に比して使用頻度の高い冷蔵室２の容積を広く確保し、冷蔵庫１の容積効率を向上して利便性を向上することができる。
【００３３】
冷凍室６の背後には背面板６ｂで仕切られる冷気通路３１が設けられる。冷蔵室２の背後には冷蔵室ダンパ２０を介して冷気通路３１と連通する冷気通路３２が設けられる。冷気通路３１は仕切板３１ｃにより前部３１ａと後部３１ｂとに仕切られ、後部３１ｂに冷却器１１が配される。
【００３４】
冷凍サイクルの低温側となる冷却器１１と冷気通路３１を流通する空気とが熱交換して冷気が生成される。また、冷却器１１が冷凍室６の背面側に配されるため、冷却器１１の冷熱が仕切板３１ｃ、前部３１ａ、背面板６ｂを介して冷凍室６側へ放出される。このため、冷凍室６が効率よく間接冷却され、冷却効率が向上されるようになっている。
【００３５】
冷却器１１の下方には冷却器１１を除霜する除霜ヒータ３３が設けられている。除霜ヒータ３３の下方には除霜による水を受けるドレンパン６３が設けられる。ドレンパン６３にはドレンパイプ６４が設けられ、機械室５０内に配された蒸発皿（不図示）にドレンパイプ６４を介して除霜水が導かれる。
【００３６】
冷気通路３１、３２内には冷凍室送風機１２及び冷蔵室送風機２３がそれぞれ配される。詳細を後述するように、冷却器１１で生成された冷気は冷凍室送風機１２の駆動により冷気通路３１の前部３１ａを流通し、冷凍室６、製氷室４及び温度切替室３に供給される。また、該冷気は冷蔵室送風機２３の駆動により、冷気通路３２を介して冷蔵室２、チルド室２１及び野菜室５に供給される。
【００３７】
冷凍室送風機１２は軸流ファンから成り、排気側を前方上方に向けて配置される。これにより、下方の冷却器１１で冷却された冷気を冷凍室送風機１２の斜め後方から効率よく吸い込むことができる。また、冷気通路３１の前部３１ａに向かって前方上方に冷気を送出し、製氷室４に吐出するとともに上方の冷気通路３２に導く。従って、上方へ効率よく冷気を流通させて低騒音化及び省エネルギー化を図ることができる。
【００３８】
冷蔵室送風機２３は軸流ファンから成り、軸方向を上下方向に向けて配置される。これにより、上記と同様に、上方へ効率よく冷気を流通させて低騒音化及び省エネルギー化を図ることができる。また、冷蔵室送風機２３が高さ方向に低くなり、冷蔵室送風機２３と断熱壁７とを正面投影において重なるように同一水平面内に配置することができる。
【００３９】
これにより、使用頻度の高い冷蔵室２の背後に冷蔵室送風機２３が配置されず、冷気通路３２の奥行を狭くすることができる。即ち、冷気通路３２の奥行きは冷蔵室送風機２３の吐出側で例えば８０ｍｍに形成され、空気流の下流側に向かって徐々に狭くなって例えば１２ｍｍに形成されている。
【００４０】
この時、冷気通路３２の左右方向の幅の合計は冷蔵室送風機２３の吐出側付近よりも広く形成される。これにより、冷気通路３２の通風面積を確保して冷気流量が維持され、送風効率の低下が防止されている。従って、狭くなった冷気通路３２の前方の冷蔵室２の奥行きが増加し、冷蔵室２の容積を広く確保することができる。
【００４１】
尚、断熱壁７を同図に示すよりも上方に設けて冷蔵室２の容積を維持し、温度切替室３や製氷室４の容積を広く確保してもよい。また、冷蔵室送風機２３を遠心ファンにより形成してもよい。この時、遠心ファンは吸込み側を下方に向け、吐出側を左右方向に向けて配置され、空気の吐出時または吐出後に空気流を上方に向けるようにするとよい。
【００４２】
また、冷蔵室送風機２３が断熱壁７と上下方向で重なる領域に設けられるため、冷凍室送風機１２は製氷室４の上部に配される製氷皿６２から離れた低い位置に配置される。しかし、冷凍室送風機１２の冷気の吐出方向が前方上方の製氷皿６２の方向になっているため、製氷皿６２の貯水を効率よく冷却することができる。
【００４３】
冷気通路３２の前面側はパネル組品１２０により覆われる。パネル組品１２０は発泡樹脂成形品等から成るダクト１０２の前面に樹脂成形品から成るパネル１００が配され、その前面側に高熱伝導性を有する部材１０１が配される。ダクト１０２には断熱性の高い発泡ポリスチレン等の発泡樹脂が用いられる。パネル１００には加工が容易なＰＰ、ＰＳ、ＡＢＳ等の樹脂が用いられる。部材１０１にはアルミニウムや耐食性の高いステンレス等の金属が用いられる。
【００４４】
ダクト１０２はチルド室２１に面した下部の略全面を所定の厚みで覆って断熱する断熱部１０２ｄを有している。これにより、冷気通路３２は冷却器１１から冷気が流入する側に断熱部材が配される。冷却器１１から冷気通路３２に流入した直後の低温の冷気は断熱部１０２ｄによって冷熱が断熱される。このため、冷蔵室２内に配されたチルド室２１の背面に発生する結露を低減することができる。
【００４５】
冷蔵室２の天井面にはランプカバー１０９により覆われた照明ランプ１１０が配される。照明ランプ１１０の出射光は上方から冷蔵室２内を照明するとともに、部材１０１の表面で反射して後方から冷蔵室２内を照明する。これにより、冷蔵室２内をより明るくすることができる。ランプカバー１０９や仕切棚４１を半透明または透明なガラスや樹脂（ＡＢＳ、ＰＳ、ポリカーボネイト、アクリル等）により形成するとより望ましい。
【００４６】
部材１０１はパネル１００に突設される係合爪１００ａと取付部材１０１ａによってパネル１００の上部に着脱自在に設けられる。従って、部材１０１を容易に清掃して冷蔵室２内を清潔に維持することができる。
【００４７】
ダクト１０２はパネル１００に突設された係合爪（不図示）によってパネル１００に取り付けられる。これにより、ダクト１０２、パネル１００及び部材１０１が一体化される。パネル組品１２０はパネル１００の背面側周部に設けられた係合爪（不図示）により内箱１ｂに取り付けられている。取付部材１０１ａにはビスや樹脂製の先端が矢じり状の押しピン等が用いられる。
【００４８】
尚、部材１０１の下端を境界にしてパネル１００、ダクト１０２を上下に分割し、部材１０１、パネル１００の上部及びダクト１０２の上部を組品にして上記と同様に着脱自在に形成してもよい。
【００４９】
冷気通路３２はダクト１０２によって下部で分岐した第１、第２分岐路３２ａ、３２ｂが形成される。第１、第２分岐路３２ａ、３２ｂは冷蔵室２の上部で連結部３２ｃにより連結される。冷気通路３２の下部にはチルド室２１に冷気吐出する吐出口１０３ａ、１０３ｂがパネル１００に開口して設けられる。
【００５０】
第１、第２分岐路３２ａ、３２ｂの中程には仕切棚４１間に冷気を吐出する吐出口１０６ａ、１０６ｂがそれぞれ部材１０１に開口して設けられる。第１、第２分岐路３２ａ、３２ｂの上端には冷蔵室２の上部から冷気を吐出する吐出口１０５ａ、１０５ｂがそれぞれ部材１０１に開口して設けられる。連結部３２ｃには冷蔵室２の略中央上部に冷気を吐出する吐出口１０５ｃが部材１０１に開口して設けられる。
【００５１】
図５は図４のＡ−Ａ断面図を示し、第２分岐路３２ｂの断面を示している。第１分岐路３２ａと第２分岐路３２ｂとは対称に形成される。ダクト１０２は後方に突出する突起部１０２ａ、１０２ｂを有し、突起部１０２ａ、１０２ｂが内箱１ｂに当接して第２分岐路３２ｂが形成される。
【００５２】
内側の突起部１０２ｂは環状に形成され、第１、第２分岐路３２ａ、３２ｂ間に空間部１１１を形成する。外側の突起部１０２ａは第１、第２分岐路３２ａ、３２ｂの側壁を形成し、所定間隔で開口して吐出口１０４ａ（図４参照）、１０４ｂが設けられる。第１、第２分岐路３２ａ、３２ｂを流通する冷気は吐出口１０４ａ、１０４ｂから冷蔵室２の側壁に向かって吐出される。吐出口１０４ａ、１０４ｂを冷気通路３２の側端部に配置したので、冷蔵室２内を側端部まで容易に冷却することができる。尚、内箱１ｂは突起部１０２ａの外側で前方に向かって傾斜した傾斜面１ｄを有している。
【００５３】
また、部材１０１を設けているので、吐出口１０４ａ、１０４ｂを冷蔵室２の背面上部の数箇所に設けるだけでも冷蔵室２の冷却に充分な量の冷気を吐出することができる。
【００５４】
ダクト１０２の前面側、パネル１００及び部材１０１は突起部１０２ａよりも外側に配され、冷気通路３２の周囲に延びて形成されている。ダクト１０２には第１、第２分岐路３２ａ、３２ｂに面して開口部１０２ｅが形成される。パネル１００には第１、第２分岐路３２ａ、３２ｂに面して厚みを薄く形成した凹部１００ｂが設けられる。
【００５５】
冷気通路３２を流通する冷気の冷熱は凹部１００ｂを介して部材１０１に伝えられ、部材１０１を介して冷蔵室２内に放出される。これにより、冷蔵室２の温度分布が均一化される。凹部１００ｂを開口して冷気通路３２を流通する冷気が直接部材１０１に接するようにしてもよい。
【００５６】
また、凹部１００ｂを空間１１１の前方側へ延びて形成してもよい。これにより、冷気通路３２ｂの冷気の一部が凹部１００ｂを介して空間１１１の前方に流入し、部材１０１の中央部から冷熱が放出される。これにより、部材１０１からより均一に冷熱を放出することができる。この時、空間１１１の前面に吐出口を設けて部材１０１の中央から冷気を吐出してもよい。
【００５７】
尚、冷気の冷熱が多い場合は凹部１００ｂを省いて開口部１０２ｅの前面側をダクト１０２により遮蔽し、断熱厚さを調整してもよい。
【００５８】
部材１０１の表面には水平に延びる凹凸部（不図示）が形成される。凹凸部の上方に面した面は部材１０１に発生する結露水を溜める。結露水は扉２ａを開いた際等に温度の高い外気が冷蔵室２に流入し、低温の部材１０１に接触して発生する。扉１０１を閉じて冷蔵室２内が冷却されると部材１０１に保持された結露水は徐々に蒸発する。これにより、冷蔵室２の保湿効果を得ることができる。
【００５９】
図６は図４のＢ−Ｂ断面図を示している。吐出口１０６ａは部材１０１、パネル１００及びダクト部材１０２にそれぞれ形成された開口部１０１ｃ、１００ｃ、１０２ｃから成っている。吐出口１０６ｂも吐出口１０６ａと同様に構成される。部材１０１にはプレスによる切り起こしやルーバー加工等によって凹部１０１ｄが形成される。
【００６０】
凹部１０１ｄは下端を部材１０１表面に連続し、開口部１００ｃ内で後方に屈曲した傾斜面から成る屈曲部１０１ｅを介して上方に延びて形成される。これにより、凹部１０１ｄは屈曲部１０１ｅを介してダクト部材１０２に当接する。また、凹部１０１ｄの上端に開口部１００ｃ、１０２ｃに連通した開口部１０１ｃが形成される。これにより、部材１０１の表面に結露が発生した際に吐出口１０６ａを介して冷気通路３２に結露水が流入することを防止できる。このため、部材１０１により結露水を保持して冷蔵室２内の保湿効果を保持することができる。
【００６１】
尚、部材１０１表面に連続する上端から前方に屈曲して下方に延び、背面側が凹む凸部を凹部１０１ｄに替えて形成してもよい。そして、凸部の下端付近に開口部を設けると上記と同様に、冷気通路３２内への結露水の流入を防止することができる。また、下方への冷気の吐出が可能となる。また、凸部の下端から後方へ屈曲してその後下方に延びる凹部を形成し、凸部と凹部とを繰り返して設けてもよい。そして、凹部の上端に開口部を設けることにより、上記と同様の効果が得られる。
【００６２】
開口部１００ｃは凹部１０１ｄの上端よりも上方まで開口して開口部１０１ｃに連通する。これにより、部材１０１を上方に上げて係合爪１００ａから容易に取り外すことができる。また、開口部１０２ｃの上端は開口部１００ｃの上端よりも上方に配される。これにより、冷気通路３２から吐出口１０６ａ、１０６ｂを介して吐出される冷気は開口部１００ｃ、１０２ｃの上端及び傾斜面から成る屈曲部１０１ｅによって上方から下方に案内される。開口部１００ｃ、１０２ｃの上端を傾斜面にするとより望ましい。
【００６３】
冷気通路３２を流通する冷気は吐出口１０６ａ、１０６ｂの凹部１０１ｄを介して斜め前方下方に吐出される。吐出口１０６ａ、１０６ｂから吐出された冷気は部材１０１に沿って流下する。即ち、凹部１０１ｄによって冷気が部材１０１に沿って流下するように吐出される。
【００６４】
これにより、下方への冷気流が生じ、部材１０１から放出された冷熱により冷却された冷蔵室２内の冷気が冷気流によって下方へ導かれる。また、部材１０１は吐出口１０６ａ、１０６ｂから吐出される冷気によって冷熱を与えられて更に冷却する。吐出口１０３ａ、１０３ｂ、１０５ａ、１０５ｂ、１０５ｃを吐出口１０６ａ、１０６ｂと同様に形成してもよい。
【００６５】
また、凹部１０１ｄの後方への突出量によって開口部１０１ｃの開口面積が変わるため、吐出口１０６ａ、１０６ｂからの冷気の吐出量を適切に調整することができる。凹部１０１ｄの後方への突出量を多くする場合は、ダクト１０２の対応部分を凹部１０１ｄに応じて凹ませてもよく、切り欠いてもよい。
【００６６】
尚、部材１０１とダクト１０２との間、部材１０１とパネル１００との間、パネル１００とダクト部材１０２との間をそれぞれシール材等でシールするとよい。これにより、冷蔵室送風機２３の停止時に吐出口１０６ａ、１０６ｂから冷蔵室２内から冷気通路３２に流入した冷気による部材１０１背面の結露をシール材によって防止することができる。部材１０１の背面に断熱材を設けてもよい。
【００６７】
また、吐出口１０６ａ、１０６ｂと同様に下方へ冷気を導く吐出口を冷蔵室２の背面上部の一部に設け、部材１０１の表面近傍に冷気を吐出してもよい。これにより、部材１０１に沿う下方への冷気流が生じ、上記と同様の効果をある程度得ることができる。
【００６８】
図７は仕切棚４１の側面断面図を示している。仕切棚４１は樹脂成形品から成り、冷蔵室２の背面に対向するリブから成る背面部４１ｈが下方に延びて設けられる。背面部４１ｈの前方には左右に延びて上面が開口した凹部４１ｂが設けられる。凹部４１ｂの内面は曲面から成り、後部を背面部４１ｈよりも後方に延長したガイド部４１ａが設けられる。
【００６９】
凹部４１ｂの前端は仕切棚４１の上面よりも高い位置に配されて左右に延びる凸部４１ｃを形成する。凸部４１ｃにより貯蔵物の後方移動が規制され、冷蔵室２の背面部の冷気流の通路を確保することができる。また、貯蔵物の後方移動を規制することにより、部材１０１から冷熱を効率よく冷蔵室２内に放出させることができる。
【００７０】
図８は図７のＣ−Ｃ断面図を示している。仕切棚４１の左右端は前後に延びる側面部４１ｆが上方に突出して設けられる。側面部４１ｆによって仕切棚４１を補強するとともに、貯蔵物の脱落を防止することができる。更に、仕切棚４１の左右端から下方に冷気が流出することを抑制できる。
【００７１】
左右の側面部４１ｆ間には前後に延びて左右方向に並設される複数のリブ状の突起部４１ｄが形成される。突起部４１ｄは側面部４１ｆよりも低く形成され、突起部４１ｄによって仕切棚４１上に載置される貯蔵物の下方に冷気が通る隙間が形成される。また、突起部４１ｄ間には複数の貫通孔４１ｅ（図７参照）が設けられている。
【００７２】
突起部４１ｄを小さな円柱状、角柱状、その他の凸形状に形成してもよい。リブ状の突起部４１ｄを開口部４１ｅ付近に形成することにより、開口部４１ｅを設けることによる強度低下を補強することができる。また、突起部４１ｄの高さを低くして２〜３ｍｍとし、仕切棚４１の上面を掘り下げた溝部を突起部４１ｄ間に形成してもよい。これにより、突起部４１ｄを見えにくくして美感を向上できるとともに、仕切棚４１前部の厚みを利用して貯蔵物の下方に冷気の通路を確保することができる。
【００７３】
仕切棚４１の裏面には突起部４１ｄに対応する位置に補強用リブ４１ｋが設けられる。補強用リブ４１ｋにより仕切棚４１の強度が更に補強される。補強用リブ４１ｋ間はシボ加工が施され、表面が粗く形成される。仕切棚４１が樹脂成形品から成る場合は金型表面にシボ加工が施される。これにより、冷気によって仕切棚４１の裏面（特に、貫通孔４１ｅ近傍）に発生する結露が表面張力で薄く広がる。従って、結露水の貯蔵物への滴下を防ぐとともに、保湿能力を向上することができる。仕切棚４１の裏面をリブ等によって結露を保持する凹凸形状を形成してもよい。
【００７４】
図４において、冷蔵室２内にはチルド室２１と隔壁（不図示）によって隔離された自動製氷用の水タンク１０８が配される。水タンク１０８内の水はポンプ（不図示）によってパイプ（不図示）を通り、下方の製氷室４に設けられた製氷装置１０８ａの製氷皿６２へ供給される。これにより、製氷皿６２に自動的に水を供給して氷が自動的に作られる。
【００７５】
冷蔵室送風機２３、冷蔵室ダンパ２０及び冷凍室送風機１２は上下方向にほぼ並べて配置される。即ち、冷蔵室送風機２３、冷蔵室ダンパ２０及び冷凍室送風機１２は平面投影において重なるように配置されている。これにより、冷蔵庫１の左右方向の幅を狭くできるとともに、冷気通路３１、３２を短縮して容積効率や送風効率をより向上することができる。
【００７６】
冷凍室６の背後の冷気通路３１は冷凍室送風機１２の前面を開口し、冷凍室送風機１２によって製氷室４に空気が送出される。製氷室４に連通する冷凍室６の下部には冷凍室戻り口２２が設けられる。また、冷気通路３１から分岐して温度切替室３に冷気を導く導入通風路１５が設けられる。
【００７７】
冷気通路３１の上部は冷蔵室ダンパ２０を介して冷気通路３２に連通する。冷蔵室ダンパ２０を開いて冷凍室送風機１２を駆動すると冷蔵室２及びチルド室２１に冷気が供給される。冷蔵室ダンパ２０は正面投影において縦断熱壁３６と重なるように縦断熱壁３６の後方に配される。
【００７８】
温度切替室３の容積を広く確保するため、温度切替室３と製氷室４とを隔離する縦断熱壁３６は図中、右側に偏って配置される。冷気通路３２は冷蔵室ダンパ２０の出口側から左右に分岐して冷蔵室２全体から冷気が吐出されるようになっている。この時、冷蔵室ダンパ２０を左右方向の中央に配置すると、左右に分岐する冷気通路３２に均一に冷気を流通させることができる。
【００７９】
しかし、温度切替室３の背後に冷気通路３１の前部３１ａ（図３参照）や冷蔵室ダンパ２０のバッフルを設けると、温度切替室３から冷気通路３１内に熱が放出される。冷気通路３１を流通する冷気が例えば−２３℃に生成される。このため、温度切替室３が該冷気よりも高温（例えば、３℃や８℃や５０℃）に制御されていると、熱ロスが大きくなる。      
【００８０】
従って、縦断熱壁３６の後方に冷蔵室ダンパ２０のバッフルや冷気通路３１の前部３１ａ（図３参照）を設け、温度切替室３から冷気通路３１への熱の放出が防止されている。これにより、冷蔵室ダンパ２０を左右方向の中央に近づけるとともに、冷却効率をより向上することができる。
【００８１】
冷蔵室２の背面下部には冷蔵室流出口２ｂが開口し、野菜室５には野菜室流入口５ｂが設けられる。冷蔵室流出口２ｂと野菜室流入口５ｂとは温度切替室３の背面を通る連結路３４により連結され、冷蔵室２と野菜室５が連通している。野菜室５の背面上部には冷気通路３１に連通する戻り通風路４６（図３参照）が設けられている。
【００８２】
温度切替室３の上部には温度切替室送風機１８及びヒータ１６が配置される。温度切替室３の右下部には温度切替室吐出ダンパ３７が設けられる。温度切替室吐出ダンパ３７は導入通風路１５上に配され、温度切替室送風機１８は導入通風路１５の上方に配置される。温度切替室吐出ダンパ３７を開いて温度切替室送風機１８を駆動すると導入通風路１５を介して冷却器１１から冷気が温度切替室３に流入する。温度切替室吐出ダンパ３７の開閉量によって導入通風路１５から温度切替室３に流入する風量が調整される。
【００８３】
温度切替室３の左下部には温度切替室戻りダンパ３８が設けられる。温度切替室戻りダンパ３８は下方に延びる戻り通風路１７を開閉し、温度切替室３内の空気は戻り通風路１７を介して冷気通路３１に戻るようになっている。
【００８４】
冷却器１１は冷媒が流通する冷媒管１１ａが蛇行して形成され、冷媒管１１ａの左右端部がエンドプレート１１ｂにより支持されている。冷媒管１１ａには放熱用の多数のフィン（不図示）が接して設けられている。
【００８５】
温度切替室３から戻り通風路１７を流通する空気は冷却器１１の上下方向の中間に設けた流出口１７ａから冷却器１１に戻される。また、冷凍室戻り口２２を介して冷凍室６から流出する冷気は冷却器１１の下部に戻り、野菜室５から流出して戻り通路４６を通る冷気は冷却器１１の下方に戻る。
【００８６】
従って、各貯蔵室から流出した冷気は冷却器１１に分散して戻される。このため、各貯蔵室を循環して戻ってきた水分を含む冷気による霜が一部に集中的に発生せずに、冷却器１１全体に分散して発生する。これにより、霜による冷気流れの目詰まりが防止され、冷却器１１の冷却性能低下を防止することができる。
【００８７】
また、容積の狭い温度切替室３を流通した冷気が冷却器１１の上部で冷却され、容積の広い冷蔵室３、野菜室５及び冷凍室６を流通した冷気が冷却器１１の上下方向の全体で冷却される。従って、温度切替室３から流出した冷気が必要以上に冷却器１１と熱交換されず、冷却器１１の熱交換効率を向上することができる。
【００８８】
また、冷凍室戻り口２２を介して冷凍室６から流出した冷気は両側のエンドプレート１１ｂの間に導かれる。野菜室５から流出した冷気は戻り通風路４６（図３参照）を介して冷却器１１の両側のエンドプレート１１ｂの内側及び外側の左右方向全体に導かれる。
【００８９】
これにより、野菜室５から流出した冷気の熱交換面積が冷凍室６から流出した冷気の熱交換面積よりも大きくなる。従って、冷凍室６から戻る低温の冷気を必要以上に冷却させず、野菜室５から戻る高温の冷気を冷却器１１全体で冷却して冷却器１１の熱交換効率をより向上することができる。
【００９０】
温度切替室３は冷凍温度に維持される場合があるため、エンドプレート１１ｂには戻り通風路１７の流出口１７ａに対向する位置に切欠き（不図示）が設けられる。これにより、温度切替室３を流出した冷気を両側のエンドプレート１１ｂの間に導いて冷気を分散させることができる。従って、冷却器１１の結露を分散して目詰まりをより防止することができる。
【００９１】
冷媒管１１ａの上部には気液分離器４５が接続される。気液分離器４５は温度切替室３から離れて製氷室４側の端部に配置される。これにより、温度切替室吐出ダンパ３７を温度切替室３の下部に配置しても気液分離器４５と干渉しない。その結果、冷蔵室ダンパ２０と温度切替室吐出ダンパ３７との干渉を回避して縦断熱壁３６の後方に冷蔵室ダンパ２０を配置することができる。
【００９２】
図９は冷蔵庫１の冷気の流れを示す冷気回路図である。冷凍室６、冷蔵室２及び温度切替室３はそれぞれ並列に配される。製氷室４は冷凍室６と直列に配され、野菜室５は冷蔵室２と直列に配される。冷却器１１で生成された冷気は、冷凍室送風機１２の駆動により製氷室４に送出される。製氷室４に送出された冷気は製氷室４及び冷凍室６を流通し、冷凍室戻り口２２から流出して冷却器１１に戻る。これにより、製氷室４及び冷凍室６内が冷却される。
【００９３】
冷凍室送風機１２の排気側で分岐した冷気は冷蔵室送風機２３の駆動により、冷蔵室ダンパ２０を介して冷蔵室送風機２３の吸込み側に送られる。冷蔵室送風機２３から送出された冷気は冷気通路３２内を前後方向では絞られながら左右に広がって流れる。これにより、冷気は急激に流通速度を下げて動圧を静圧に変換され、上方へ流れる。冷気の流通速度が低下することによって送風効率を向上することができる。
【００９４】
冷気通路３２を流通する冷気の一部は下部に設けられた吐出口１０３ａ、１０３ｂからチルド室２１に吐出される。吐出口１０３ａ、１０３ｂから吐出された冷気はチルド室２１内のケース１０７に流入する。冷気通路３２に流入した冷気を直ちにチルド室２１に供給するため、ケース１０７内の貯蔵物は冷蔵室２よりも低温に冷却される。
【００９５】
冷気通路３２を流通する残りの冷気は左右に分岐した第１、第２分岐路３２ａ、３２ｂを上昇し、吐出口１０４ａ、１０４ｂから冷蔵室２へ吐出される。また、第１、第２分岐路３２ａ、３２ｂ及び連結部３２ｃに設けた吐出口１０６ａ、１０６ｂ、１０５ａ〜１０５ｃから冷蔵室２内に冷気が吐出される。
【００９６】
冷気通路３２を流通する冷気の冷熱は冷気通路３２の周囲に延びる部材１０１に伝えられる。これにより、冷蔵室２が広くても冷蔵室２背面の広い範囲から冷熱が放出され、冷蔵室２の温度分布が均一化される。
【００９７】
連結部３２ｃが設けられるため、第１、第２分岐路３２ａ、３２ｂに分岐した冷気量に差が生じても連結部３２ｃを介して均一化される。従って、冷蔵室２に吐出される冷気量を左右で略同じにして温度分布を均一にすることができる。また、吐出口１０５ｃを連結部３２ｃに設けたので、冷蔵室２の略中央上部から冷気が吐出される。従って、吐出口１０４ａ、１０４ｂ、１０５ａ、１０５ｂから冷蔵室２の端部に冷気が吐出されるとともに吐出口１０５ｃから中央部に冷気が吐出される。従って、冷蔵室２の温度分布をより均一にすることができる。
【００９８】
吐出口１０４ａ、１０４ｂから内箱１ｂに沿って吐出される冷気は傾斜面１ｄで斜め前方に流れ、冷気通路３２の周囲に延びる部材１０１によって上下方向に拡散される。これにより、部材１０１の外周全体から拡散しながら冷蔵室２内に均一に冷気が流れ出す。また、部材１０１の外周全体に流れだす冷気によって部材１０１が更に冷却され、部材１０１から放出される冷熱量を増加させることができる。
【００９９】
吐出口１０６ａ、１０６ｂから仕切棚４１の間を下方に吐出された冷気は冷蔵室２の背面に沿って流下する冷気流を発生する。これにより、仕切棚４１間の空間の上部の空気は該冷気流によって後方へ引き寄せられる。部材１０１の冷熱によって冷却された冷蔵室２内の空気とともに冷蔵室２の背面を流下する冷気は仕切棚４１に到達する。
【０１００】
一部の冷気は矢印Ｄ１（図７参照）に示すように仕切棚４１と冷蔵室２の背面との間を下方に流通する。残りの冷気は矢印Ｄ２（図７参照）に示すようにガイド部４１ａによって凹部４１ｂ内に導かれる。凹部４１ｂに流入した冷気は溜められて左右方向に広がり、凹部４１ｂを溢れて前端の凸部４１ｃを乗り越える。
【０１０１】
凸部４１ｃを乗り越えた冷気は突起部４１ｄにより形成される貯蔵物と仕切棚４１表面との隙間を前方に流通する。これにより、上下の仕切棚４１間に自然対流が生じ、仕切棚４１間の空間を均一に冷却することができる。仕切棚４１上を流通する冷気は仕切棚４１の前端から降下し、一部の冷気は貫通孔４１ｅを介して仕切棚４１の下方に導かれる。
【０１０２】
矢印Ｄ１に示すように流通する冷気は下方の仕切棚４１間の空間に供給される。また、貫通孔４１ｅを介して該空間に冷気が供給される。そして、下方の空間内で同様に自然対流を発生させて該空間を均一に冷却する。
【０１０３】
仕切棚４１や仕切板４４上を前方へ流通した冷気はこれらに載置された貯蔵物と熱交換する。そして、扉２ａに設けた収納ポケット４２内の貯蔵物を冷却して下方に流れる。下方に流通する冷気は冷蔵室流出口２ｂ側の冷蔵室２の側壁とケース１０７の外側の間を通って冷蔵室流出口２ｂから連結路３４に流入する。
【０１０４】
連結路３４を流通する冷気は野菜室５に流入する。野菜室５に流入した冷気は野菜室５内を流通し、戻り通風路４６を介して冷却器１１に戻る。これにより、冷蔵室２及び野菜室５内が冷却され、設定温度になると冷蔵室ダンパ２０が閉じられる。
【０１０５】
また、冷凍室送風機１２の排気側で分岐した冷気は、温度切替室送風機１８の駆動により温度切替室吐出ダンパ３７を介して温度切替室３に流入する。温度切替室３に流入した冷気は温度切替室３内を流通して温度切替室戻りダンパ３８から流出し、戻り通風路１７を介して冷却器１１に戻る。これにより、温度切替室３内が冷却される。
【０１０６】
前述のように、温度切替室３は使用者の操作により室内温度を切り替えることができるようになっている。温度切替室３の動作モードは温度帯に応じてワイン（８℃）、冷蔵（３℃）、チルド（０℃）、ソフト冷凍（−８℃）、冷凍（−１５℃）の各冷却モードが設けられる。
【０１０７】
これにより、使用者は所望の温度で貯蔵物を冷凍または冷蔵して冷却保存できる。室内温度の切り替えは温度切替室吐出ダンパ３７を開く量を可変して行うことができる。尚、例えば冷凍の室内温度から冷蔵の室内温度に切り替える際にヒータ１６に通電して昇温してもよい。これにより、迅速に所望の室内温度に切り替えることができる。
【０１０８】
また、ヒータ１６に通電することにより、温度切替室３の室内温度を貯蔵物を冷却保存する低温側から常温よりも高温の高温側に切り替えることができる。これにより、調理済み加熱食品の一時的な保温や温調理等を行うことができる。
【０１０９】
本実施形態によると、吐出口１０６ａ、１０６ｂが冷蔵室２（貯蔵室）の背面に沿って流下させるように冷気を吐出し、吐出口１０６ａ、１０６ｂの下方に仕切棚４１を配置したので、上下の仕切棚４１間の空間で対流を発生させて該空間の温度を均一にすることができる。従って、冷蔵室２内の温度分布を均一にすることができる。
【０１１０】
尚、上段の仕切棚４１と冷蔵室２の天面との間の空間や、下段の仕切棚４１と冷蔵室２の底面との間の空間においても、吐出口１０６ａ、１０６ｂと同様の吐出口を設けることにより温度分布を均一にすることができる。
【０１１１】
また、仕切棚４１の後部に左右に延びた凹部４１ｂを設けたので吐出口１０６ａ、１０６ｂから流下する冷気を凹部４１ｂで溜めて左右に広がって流通させることができる。また、貯蔵物の下方に隙間を形成する複数の突起部４１ｄを設けたので、仕切棚４１に貯蔵物を載置しても貯蔵物の下方を通って前方に冷気を円滑に流通させることができる。従って、冷蔵室２の温度分布をより均一にすることができる。
【０１１２】
また、冷蔵室２内には冷気通路３２を流通する冷気の冷熱が部材１０１を介して放出される。このため、吐出口１０４ａ、１０４ｂ、１０５ａ、１０５ｂ、１０５ｃ、１０６ａ、１０６ｂから吐出される乾燥した冷気は極少量でよい。これにより、部材１０１の冷熱によって間接冷却されたある程度湿気を含む空気と、吐出口１０６ａ、１０６ｂから吐出された乾燥空気との混合冷気で冷蔵室２内が冷却される。従って、冷蔵室２内の保湿効果を向上して貯蔵物の乾燥を抑制することができる。
【０１１３】
次に、図１０は第２実施形態の冷蔵庫を示す正面断面図である。説明の便宜上、前述の図１〜図９に示す第１実施形態と同様の部分には同一の符号を付している。本実施形態は冷蔵室２の背面の冷気通路３２が分岐せずに上方に延び、上部で左右に広がる。その他の部分は第１実施形態と同様である。
【０１１４】
ダクト１０２の背面に突設される突起部１０２ａは中央部に冷気通路３２を形成する。突起部１０２ａは冷気通路３２の両側方でそれぞれ環状に設けられ、空間部１１１を形成する。冷気通路３２には左右の端部に吐出口１０６ａ、１０６ｂが形成される。吐出口１０６ａ、１０６ｂは前述の図６に示すように第１実施形態と同様に形成され、冷気を冷蔵室２の背面に沿って流下させるように吐出する。また、冷気通路３２は空間部１１１の上方で左右に広がり、広がった左右の端部に吐出口１０４ａ、１０４ｂが形成される。
【０１１５】
部材１０１はダクト１０２の側壁よりも外側を覆い、冷気通路３２の周囲に延びて形成される。これにより、第１実施形態と同様に、冷気通路３２の流路面積を小さく形成するとともに部材１０１によって広い範囲から冷熱を冷蔵室２に放出することができる。
【０１１６】
また、吐出口１０６ａ、１０６ｂが冷蔵室２（貯蔵室）の背面に沿って流下させるように冷気を吐出し、吐出口１０６ａ、１０６ｂの下方に仕切棚４１（図３参照）を配置したので、仕切棚４１間の空間で対流を発生させて該空間の温度を均一にすることができる。従って、冷蔵室２内の温度分布を均一にすることができる。
【０１１７】
第１、第２実施形態において、冷気を下方に吐出させる吐出口１０６ａ、１０６ｂを２箇所に設けているが、各仕切棚４１に対応してそれぞれ単数または複数設けてもよい。吐出口１０６ａ、１０６ｂを上下の仕切棚４１で区切られる空間の上部に設けると、対流効果を向上できる。
【０１１８】
また、上方の仕切棚４１から下方に延びるとともに吐出口１０６ａ、１０６ｂ等の前面に隙間を介して配されるガードを設けるとより望ましい。これにより、吐出口１０６ａ、１０６ｂ等の前面が貯蔵物の一部（例えば、野菜の葉）で塞がれることを防止できる。
【０１１９】
また、図１１に示すように、仕切棚４１を吐出口１０６ａ、１０６ｂと同じ高さに配置してもよい。図１２は図１１のＥ矢視図を示している。仕切棚４１の背面部４１ｈは吐出口１０６ａ、１０６ｂに対向する位置で前方に蛇行したガード部４１ｇが形成される。ガード部４１ｇには貫通孔４１ｊが形成される。
【０１２０】
これにより、吐出口１０６ａ、１０６ｂから吐出された冷気はガード部４１ｇに案内されて下方の空間に導かれる。また、一部の冷気は貫通孔４１ｊを介して下方の空間に導かれる。このため、貯蔵物による吐出口１０６ａ、１０６ｂの閉塞を防止することができる。貫通孔４１ｊを切り欠きやスリットにしてもよい。
【０１２１】
また、野菜室５の流出口にダンパを設けてもよい。これにより、温度切替室３を高温側から低温側に切り替えた際に、該ダンパを閉じて温度切替室３からの熱風が野菜室５に逆流することを防止できる。また、温度切替室３を高温側から低温側へ切り替える際に冷凍室送風機１２が停止されている場合には、冷凍室戻り口２２が閉じられるように通路開閉機構（例えば、ダンパ）を設けてもよい。これにより、温度切替室送風機１８の駆動によって冷凍室戻り口２２から冷凍室６内へ熱風が逆流することを防止できる。
【産業上の利用可能性】
【０１２２】
本発明によると、貯蔵物を載置する仕切棚を備えた冷蔵庫に利用することができる。
【図面の簡単な説明】
【０１２３】
【図１】本発明の第１実施形態の冷蔵庫を示す正面図
【図２】本発明の第１実施形態の冷蔵庫を示す右側面図
【図３】本発明の第１実施形態の冷蔵庫を示す右側面断面図
【図４】本発明の第１実施形態の冷蔵庫を示す正面断面図
【図５】図４のＡ−Ａ断面図
【図６】図４のＢ−Ｂ断面図
【図７】本発明の第１実施形態の冷蔵庫の仕切棚を示す側面断面図
【図８】図７のＣ−Ｃ断面図
【図９】本発明の第１実施形態の冷蔵庫の冷気の流れを示す冷気回路図
【図１０】本発明の第２実施形態の冷蔵庫を示す正面断面図
【図１１】本発明の第１、第２実施形態の冷蔵庫の他の態様の仕切棚を示す側面断面図
【図１２】図１１のＥ矢視図
【符号の説明】
【０１２４】
１    冷蔵庫
２    冷蔵室
３    温度切替室
４    製氷室
５    野菜室
６    冷凍室
７、８、３５  断熱壁
１１    冷却器
１２    冷凍室送風機
１５    導入通風路
１６    ヒータ
１７    戻り通風路
１８    温度切替室送風機
２０    冷蔵室ダンパ
２２    冷凍室戻り口
２３    冷蔵室送風機
３１、３２  冷気通路
３２ａ  第１分岐路
３２ｂ  第２分岐路
３２ｃ  連結部
３６    縦断熱壁
３７    温度切替室吐出ダンパ
３８    温度切替室戻りダンパ
４１    仕切棚
４１ｂ  凹部
４１ｄ  突起部
４１ｈ  背面部
４５    気液分離器
５７    圧縮機
１００    パネル
１０１    部材
１０１ｄ  凹部
１０２    ダクト
１０２ａ  突起部
１０２ｄ  断熱部
１０３ａ、１０３ｂ、１０４ａ、１０４ｂ、１０５ａ、１０５ｂ、１０５ｃ、１０６ａ、１０６ｂ  吐出口
１０８    タンク
１１１    空間部
１２０    パネル組品
【図１】
2009068800.tif 000003
【図２】
2009068800.tif 000004
【図３】
2009068800.tif 000005
【図４】
2009068800.tif 000006
【図５】
2009068800.tif 000007
【図６】
2009068800.tif 000008
【図７】
2009068800.tif 000009
【図８】
2009068800.tif 000010
【図９】
2009068800.tif 000011
【図１０】
2009068800.tif 000012
【図１１】
2009068800.tif 000013
【図１２】
2009068800.tif 000014